(57)【要約】【課題】運転中急激に扉を開けたとき、洗浄水が機外に漏れることを防ぐとともに、トライアックもしくは誘導モータの温度上昇を防止することができる食器洗い機を提供する。【解決手段】本体１の開口部２を開閉する上扉４及び下扉５と、誘導モータを用いた洗浄ポンプ２０等の負荷を駆動するトライアックを有する負荷制御手段１１と、トライアックに熱結合した温度検知手段２８と、食器洗い機の運転開始および一時停止を行うスタートスイッチ１６と、上扉４及び下扉５の開閉を検知する扉開閉検知手段２７とを有し、一時停止の入力があったとき、または、扉開閉検知手段２７が扉の開放を検知したとき、温度検知手段２８の出力に応じて洗浄ポンプ２０を駆動する負荷制御手段１１を１波もしくは複数波毎に半波導通に制御する制御装置１２を備えたことにより、上記課題を解決することができる。【選択図】図１
2014054281.tif 000002
【特許請求の範囲】
【請求項１】
開口部を有する本体と、前記開口部を開閉する扉と、洗浄水を加圧して洗浄ノズルから噴射させる、誘導モータを用いた洗浄ポンプと、前記洗浄ポンプ等の負荷を駆動するトライアックを有する負荷制御手段と、前記トライアックに熱結合した温度検知手段と、食器洗い機の運転開始および一時停止を行うスタート入力手段と、前記扉の開閉を検知する扉開閉検知手段とを有し、前記スタート入力手段からの一時停止の入力があったとき、または、前記扉開閉検知手段が前記扉の開放を検知したとき、前記温度検知手段の出力に応じて前記洗浄ポンプを駆動するトライアックを１波もしくは複数波毎に半波導通に制御する制御装置を備えた食器洗い機。
【請求項２】
開口部を有する本体と、前記開口部を開閉する扉と、洗浄水を加圧して洗浄ノズルから噴射させる、誘導モータを用いた洗浄ポンプと、前記洗浄ポンプ等の負荷を駆動するトライアックを有する負荷制御手段と、前記誘導モータに熱結合した温度検知手段と、食器洗い機の運転開始および一時停止を行うスタート入力手段と、前記扉の開閉を検知する扉開閉検知手段とを有し、前記スタート入力手段からの一時停止の入力があったとき、または、前記扉開閉検知手段が前記扉の開放を検知したとき、前記温度検知手段の出力に応じて前記洗浄ポンプを駆動するトライアックを１波もしくは複数波毎に半波導通に制御する制御装置を備えた食器洗い機。
【発明の詳細な説明】
【技術分野】
【０００１】
本発明は、食器の洗浄を行う食器洗い機に関するものである。
【背景技術】
【０００２】
従来の食器洗い機は、図７に例示するような構成のものが既に知られている（例えば、特許文献１参照）。この食器洗い機は、洗浄槽を内蔵した本体１００の前面の開口部に上下に開く下扉１０１、上扉１０２を有している。下扉１０１、上扉１０２は下側の下扉１０１に備えたハンドル１０３の操作で互いに連動して開閉される。下扉１０１、上扉１０２により開口を閉じることで洗浄槽を密閉し、洗浄ポンプ（図示せず）によって洗浄ノズルから食器などの被洗浄物に噴射される洗浄水の水漏れを防止する。また、洗浄ポンプは誘導モータを用いており、モータに通電を止めてもモータの回転子、洗浄ポンプの慣性力により直ぐには止まらず、僅かな時間洗浄水を洗浄ノズルから噴射している。
【０００３】
そこで、誘導モータに半波通電することによって直流制動を行い、洗浄ノズルからの洗浄水の噴射をすみやかに停止する食器洗い機が提案されている（例えば、特許文献２参照）。
【先行技術文献】
【特許文献】
【０００４】
【特許文献１】特開２００２−２１９０８３号公報
【特許文献２】特開２００５−１１８３７８号公報
【発明の概要】
【発明が解決しようとする課題】
【０００５】
しかしながら、上記特許文献２に記載されたような食器洗い機では、誘導モータに直流（半波通電）を流すと大きな電流が流れ、誘導モータを駆動するトライアックの素子の温度が上昇するという課題があった。
【０００６】
本発明は、前記従来の課題を解決するもので、急激に扉を開けたときに、すみやかに洗浄ノズルからの洗浄水の噴射を停止して洗浄水が機外に漏れることを防ぐとともに、トライアック、誘導モータの温度上昇の抑制を実現した食器洗い機を提供することを目的とする。
【課題を解決するための手段】
【０００７】
上記の目的を達成するために、本発明の食器洗い機は、トライアックもしくは誘導モータに熱結合した温度検知手段を設け、スタート入力手段からの一時停止の入力があったとき、または、扉開閉検知手段が扉の開放を検知したとき、温度検知手段の出力に応じて所定時間洗浄ポンプを駆動するトライアックを１波もしくは複数波毎に半波導通に制御する制御装置を備えたものである。
【０００８】
本構成により、急激に扉を開けたときに、すみやかに洗浄ノズルからの洗浄水の噴射を停止して洗浄水が機外に漏れることを防ぐとともに、トライアックもしくは誘導モータの温度上昇を抑制するとともに、モータに流れる電流を確保し、誘導モータの直流制動力の低下を抑えることができる。
【発明の効果】
【０００９】
本発明の食器洗い機によれば、急激に扉を開けたときに、すみやかに洗浄ノズルからの
洗浄水の噴射を停止して洗浄水が機外に漏れることを防ぐとともに、誘導モータを用いた洗浄ポンプの負荷を駆動するトライアックもしくは誘導モータの温度上昇を防ぐことができる。
【図面の簡単な説明】
【００１０】
【図１】本発明の実施の形態１における食器洗い機の扉体開成時の斜視図
【図２】同食器洗い機の扉体閉成時の側壁部断面図
【図３】同食器洗い機の制御関係の概略を示すブロック構成図
【図４】同食器洗い機の操作パネルの模式図
【図５】同食器洗い機での洗浄ポンプへの印加電圧波形を示す図
【図６】本発明の実施の形態２における食器洗い機の制御関係の概略を示すブロック構成図
【図７】従来の食器洗い機を示す斜視図
【発明を実施するための形態】
【００１１】
第１の発明は、開口部を有する本体と、前記開口部を開閉する扉と、洗浄水を加圧して洗浄ノズルから噴射させる、誘導モータを用いた洗浄ポンプと、前記洗浄ポンプ等の負荷を駆動するトライアックを有する負荷制御手段と、前記トライアックに熱結合した温度検知手段と、食器洗い機の運転開始および一時停止を行うスタート入力手段と、前記扉の開閉を検知する扉開閉検知手段とを有し、前記スタート入力手段からの一時停止の入力があったとき、または、前記扉開閉検知手段が前記扉の開放を検知したとき、前記温度検知手段の出力に応じて前記洗浄ポンプを駆動するトライアックを１波もしくは複数波毎に半波導通に制御する制御装置を備えたことにより、一時停止や食器洗い機の運転中急激に扉を開けたとき、すみやかに洗浄ポンプを制動して洗浄水が機外に漏れることを防ぐとともに、トライアックや洗浄ポンプの誘導モータの温度上昇を防止することができる。
【００１２】
第２の発明は、開口部を有する本体と、前記開口部を開閉する扉と、洗浄水を加圧して洗浄ノズルから噴射させる、誘導モータを用いた洗浄ポンプと、前記洗浄ポンプ等の負荷を駆動するトライアックを有する負荷制御手段と、前記誘導モータに熱結合した温度検知手段と、食器洗い機の運転開始および一時停止を行うスタート入力手段と、前記扉の開閉を検知する扉開閉検知手段とを有し、前記スタート入力手段からの一時停止の入力があったとき、または、前記扉開閉検知手段が前記扉の開放を検知したとき、前記温度検知手段の出力に応じて前記洗浄ポンプを駆動するトライアックを１波もしくは複数波毎に半波導通に制御する制御装置を備えたことにより、一時停止や食器洗い機の運転中急激に扉を開けたとき、すみやかに洗浄ポンプを制動して洗浄水が機外に漏れることを防ぐとともに、トライアックや洗浄ポンプの誘導モータの温度上昇を防止することができる。
【００１３】
以下、本発明を実施するための形態について、図面を参照しながら説明する。
【００１４】
（実施の形態１）
図１は本発明の実施の形態１における食器洗い機の扉体開成時の斜視図、図２は同食器洗い機の扉体閉成時の側壁部断面、図３は同食器洗い機の制御関係の概略を示すブロック構成図、図４は同食器洗い機の操作パネルの模式図、図５は同食器洗い機での洗浄ポンプへの印加電圧波形を示す図である。
【００１５】
図１〜５において、食器洗い機の本体１の前面には開口部２が設けられており、本体１の内部には食器などの被洗浄物を収容して洗浄を行う洗浄槽３が設けられ、開口部２には上扉４および下扉５が開口部２を開閉するように設けられており、上扉４および下扉５を開成することにより被洗浄物を出し入れする。上扉４および下扉５を閉成すると、開口部２まわりに設けた係合部６に下扉５に備えられたフック片７が弾性係合することで閉じ状
態にロックされ、上扉４および下扉５で開口部２を閉じて洗浄槽３を密閉するようになっており、ハンドル８を操作して開くときはそのロックが自動的に解除されるようになっている。
【００１６】
洗浄槽３は給水弁１９から洗浄水を供給されて底部に溜める。洗浄槽３の底部に溜めている洗浄水は誘導モータを用いた洗浄ポンプ２０によって洗浄槽３内に設けられている洗浄ノズル（図示せず）に供給し、洗浄ノズルから洗浄槽３に収容している食器類に向けて噴出する。洗浄槽３の底部には水位検知手段１０があり、洗浄槽３内の水位を検知し、電気信号として出力する。
【００１７】
また、洗浄槽３の底部にはヒータ２４が配設され、洗浄水を加熱し洗浄水による洗浄効果を高める。これに併せ、洗浄槽３の底部に外側より密着するように取り付けた水温検知手段９を設けて、洗浄水の水温や洗浄槽３の温度を熱伝導により検知し、それらの温度制御に供する。
【００１８】
また、洗浄槽３の底部内の洗浄水を排出する排水ポンプ２５や、洗浄槽３内の蒸気を排気口から本体１外へ送り出し洗浄後の食器を乾燥させる送風ファン２６も洗浄槽３のまわりに設けてある。開口部２まわりの本体１内には上扉４および下扉５の少なくとも一方の開閉を検知する扉開閉検知手段２７が設けられている。本体１はまた、給水弁１９、洗浄ポンプ２０、ヒータ２４、排水ポンプ２５、送風ファン２６などをトライアックを含む負荷制御手段１１を介して駆動し、洗い、すすぎ、乾燥の各行程を逐次制御する制御装置１２を内蔵している。負荷制御手段１１にはサーミスタ等の温度検知手段２８が熱結合して固着されている。
【００１９】
なお、本実施の形態において、洗浄水を加圧する手段として洗浄ポンプ２０を、洗浄水を排水する手段として排水ポンプ２５を用いたが、洗浄・排水兼用のポンプを用いてもよい。この場合、ポンプが一つになるので、コスト削減、省スペース化を実現することができる。
【００２０】
このような制御のために、本体１の前面には下扉５の下部などに、図４に示すような操作パネル１３が設けられている。操作パネル１３には電源を「入り」「切り」する電源入りスイッチ１４及び電源切りスイッチ１５、運転開始および一時停止を行うスタート入力手段としてのスタートスイッチ１６、コースを設定するコーススイッチ１７、乾燥の時間を設定する乾燥スイッチ１８などを設けた入力手段２１と、それらの操作や運転状況に応じた表示をＬＥＤなどによって行う表示手段２２とが設けられている。
【００２１】
制御装置１２は、マイクロコンピュータ等で構成し、入力手段２１により設定された入力情報と、扉開閉検知手段２７、水温検知手段９、水位検知手段１０からの入力情報とに応じて、トライアックを含む負荷制御手段１１を介し給水弁１９、洗浄ポンプ２０、ヒータ２４、排水ポンプ２５、送風ファン２６などの負荷と、ＬＥＤなどの表示手段２２と、報知手段３１とを予め定められたシーケンスに沿って制御する。音声報知手段もしくはメロディ報知手段もしくはブザー報知手段と、表示手段とからなる報知手段３１は、通常、扉開閉検知手段２７からの扉開閉情報により検知する閉じ異常、水位検知手段１０からの水位情報により検知する給水異常や排水異常、運転終了などに際して動作させる。これらのために、上記の各種異常を判定し検知する検知手段を制御装置１２の内部機能として備えている。なお、負荷制御手段１１や制御装置１２には電源回路３３にて生成された電源が供給される。
【００２２】
次に、以上のような構成の食器洗い機の一連の動作及び作用について、その概略を説明する。使用者が食器類などの被洗浄物を食器かごに配置して洗浄槽３に収納し、洗剤を入
れ、上扉４および下扉５を閉めた後に電源入りスイッチ１４とスタートスイッチ１６との操作で運転を開始すると、まず洗浄槽３の底部に水位検知手段１０が所定の水位を検知するまで給水弁１９から水道水が給水される。そして、洗浄ポンプ２０およびヒータ２４に通電され、洗浄水は加熱されながら洗浄ポンプ２０により食器類に向けて洗浄ノズルから噴出される。
【００２３】
このとき、水温検知手段９により洗浄水の温度を検知し、制御装置１２は常に洗浄水の温度を把握している。洗浄水の温度が所定の温度に到達したとき、あるいは、洗浄開始から所定時間経過したとき、制御装置１２は洗浄行程を終了し、排水ポンプ２５に通電して、一旦洗浄水を排水する。
【００２４】
つぎに、新たに水道水が給水され、ヒータ２４には通電しないが前述の洗浄行程と同様の動作を数分間行った後排水する。このすすぎ行程を数回くり返した後、加熱すすぎ行程と称する洗浄行程と同様の動作を行い、所定温度に到達したとき、あるいは、所定時間経過したとき、これを終了として排水する。最後に送風ファン２６を運転して洗浄槽３内の蒸気を機外へ排出すると同時に、ヒータ２４に通電を行い食器類を加熱して、付着している水滴を乾燥させる。
【００２５】
このような一連の動作において、本実施の形態では、スタートスイッチ１６から一時停止の入力があったとき、または、扉開閉検知手段２７が上扉４及び下扉５の開放を検知したとき、図５に示すように負荷制御手段１１を１波もしくは複数波毎に半波導通して所定時間制御し、洗浄ポンプ（誘導モータ）２０に、略直流電圧を印加することで、制動効果を発生させ、洗浄ポンプ２０を強制的に停止させることができる。
【００２６】
このように制御することで、運転中に運転の一時停止の入力があったとき、または、上扉及び下扉５の開放を検知したとき、洗浄水が漏れるのを防ぐ食器洗い機を提供することができる。特に、負荷制御手段１１を２波毎に半波導通して所定時間制御し、洗浄ポンプ２０を略直流電圧を印加した場合、洗浄ポンプ２０を強制的に停止させる制動効果と、負荷制御手段１１や洗浄ポンプ２０の発熱抑制効果とのバランスを最適にすることができ、より効果的に洗浄水の漏れを防ぐことができる。
【００２７】
また、温度検知手段２８の出力に応じて、１波もしくは複数波毎に半波導通に制御することで、負荷制御手段１１、洗浄ポンプ２０に流れる電流を抑制し発熱を抑制することができ、トライアックの温度上昇を抑制することができる。また、２波毎に半波導通を制御させることにより、３波毎に半波導通を制御する場合に比べ、誘導モータに流れる電流を確保し、誘導モータの制動力の低下を抑えることができる。
【００２８】
（実施の形態２）
本実施の形態の食器洗い機は、図６に示すように、サーミスタ等の温度検知手段２９は、洗浄ポンプ（誘導モータ）２０に熱結合して固着されている。
【００２９】
温度検知手段２９の出力に応じて、１波もしくは複数波毎に半波導通に制御することで、負荷制御手段１１、洗浄ポンプ２０に流れる電流を抑制し発熱を抑制することができ、誘導モータの温度上昇を抑制することができる。また、２波毎に半波導通を制御させることにより、３波毎に半波導通を制御する場合に比べ、誘導モータに流れる電流を確保し、誘導モータの制動力の低下を抑えることができる。
【産業上の利用可能性】
【００３０】
本発明は、食器洗い機における急激に扉を開けたときに、すみやかに洗浄ノズルからの洗浄水の噴射を停止して洗浄水が機外に漏れることを防ぐとともに、負荷制御手段や洗浄
ポンプに流れる電流を抑制し発熱を抑制することができるので、洗浄ポンプによって洗浄水を加圧循環させ洗浄ノズルから噴射させる食器洗い機等に有用なものである。
【符号の説明】
【００３１】
１  本体
２  開口部
３  洗浄槽
４  上扉（扉）
５  下扉（扉）
１１  負荷制御手段
１２、３２  制御装置
１６  スタートスイッチ（スタート入力手段）
２０  洗浄ポンプ
２７  扉開閉検知手段
２８、２９  温度検知手段
【図１】
2014054281.tif 000003
【図２】
2014054281.tif 000004
【図３】
2014054281.tif 000005
【図４】
2014054281.tif 000006
【図５】
2014054281.tif 000007
【図６】
2014054281.tif 000008
【図７】
2014054281.tif 000009